(57)【特許請求の範囲】
【請求項１】
光源と、
下方に開口部を有する長尺箱形状に形成され、前記光源を保持する器具本体と、
前記器具本体の前記開口部に取り付けられる反射笠と、
を備えた照明器具において、
前記器具本体は、前記器具本体の長手方向に直交する方向である幅方向の両端部において前記器具本体の長手方向に沿って設けられ、内方で且つ、その端部が上方を向くように屈曲した一対の屈曲部を有し、
前記一対の屈曲部の間に、前記反射笠に有する中央水平板を挿入させた状態で前記反射笠を固定し、
前記反射笠は、前記中央水平板の、前記器具本体の長手方向に直交する方向である幅方向の両端部から、予め定められた傾斜角度で斜め下方に向けて延出され、且つ前記器具本体の長手方向に沿って設けられる一対の傾斜板を有し、
前記器具本体における前記一対の屈曲部の各々の下側には、前記一対の傾斜板の各々が位置していることを特徴とする照明器具。
【発明の詳細な説明】
【技術分野】
【０００１】
本発明は、例えば工作機械等の置かれた作業室に天井から吊り下げられて使用される照明器具に関する。
【背景技術】
【０００２】
従来の照明器具の一例として、反射板取付ネジによりランプホルダー台を反射板に共締めして器具本体に固定したものがある（例えば特許文献１参照）。
【先行技術文献】
【特許文献】
【０００３】
【特許文献１】特開２００４−１５８４０３号公報（図１、請求項１）
【発明の概要】
【発明が解決しようとする課題】
【０００４】
通常、工作機械等の置かれた作業室に天井から吊り下げられて使用される照明器具においては、機械油脂分が混ざった塵埃と称されるオイルミストが器具本体内に浸入した場合に、器具本体内に溜まった油脂により、特に銅板等の金属部材に腐食を生じたり、電線の被覆が膨順したり、インバータ等の電気機器の接触不良の原因となったりするので、オイルミストを器具本体の内部に浸入させないようにする配慮が必要である。
【０００５】
しかし、上記特許文献１に開示された従来の照明器具においては、器具本体の開口部の端部に水平に配置されている反射板固定金具に、反射板に水平に設けられている上端部が当接固定されている。
従って、器具本体の表面に付着して開口部に液下したオイルミストおよび反射板の水平な上端部に付着したオイルミストのいずれもが、器具本体の開口部の端部から器具本体内に浸入する虞がある。
【０００６】
本発明は、前述した課題を解決するためになされたものであり、その目的は、オイルミスト等の有害塵埃を器具本体内に浸入させないようにして高品質を保障することができる照明器具を提供することにある。
【課題を解決するための手段】
【０００７】
本発明に係る照明器具は、光源と、下方に開口部を有する長尺箱形状に形成され、前記光源を保持する器具本体と、前記器具本体の前記開口部に取り付けられる反射笠と、を備えた照明器具において、前記器具本体は、前記器具本体の長手方向に直交する方向である幅方向の両端部において前記器具本体の長手方向に沿って設けられ、内方で且つ、その端部が上方を向くように屈曲した一対の屈曲部を有し、前記一対の屈曲部の間に、前記反射笠に有する中央水平板を挿入させた状態で前記反射笠を固定し、前記反射笠は、前記中央水平板の、前記器具本体の長手方向に直交する方向である幅方向の両端部から、予め定められた傾斜角度で斜め下方に向けて延出され、且つ前記器具本体の長手方向に沿って設けられる一対の傾斜板を有し、前記器具本体における前記一対の屈曲部の各々の下側には、前記一対の傾斜板の各々が位置していることを特徴とする。
【０００８】
本発明において、反射笠は、その上側端部を、器具本体の開口部の縁部の内方で且つ端部が上方を向くように屈曲した屈曲部に挿入されて器具本体に固定される。
これにより、器具本体の表面に付着して開口部に滴下してきたオイルミストは屈曲部により開口部の縁部から器具本体内に周り込まず、反射笠の上側端部にも周り込まない。
従って、器具本体に付着したオイルミスト等の有害塵埃を器具本体内に浸入させないようにできる。
【発明の効果】
【００１１】
本発明の照明器具によれば、器具本体は、その開口部の縁部に、内方で且つ、その端部が上方を向くように屈曲した屈曲部を有し、屈曲部に反射笠に有する上側端部を挿入させた状態で反射笠を固定した。
これにより、オイルミスト等の有害塵埃を器具本体内に浸入させないようにして高品質を保障することができるという効果を有する。
【図面の簡単な説明】
【００１２】
【図１】本発明に係る一実施形態の照明器具の斜め下方から視た外観斜視図
【図２】図１の照明器具の側面図
【図３】図１の照明器具の底面図
【図４】図１の照明器具の組立手順を説明する反射笠の取付前の外観斜視図
【図５】図１の照明器具の組立手順を説明する反射笠の取付前の垂直断面図
【図６】図１の照明器具の組立手順を説明する反射笠の取付後の垂直断面図
【図７】図６の照明器具の要部拡大図
【発明を実施するための形態】
【００１３】
以下、本発明の一実施形態に係る照明器具について図面を参照して説明する。
【００１４】
図１、図２、図３に示すように、本発明の一実施形態である照明器具１０は、器具本体１１と、一対のソケット１２，１２と、ソケット１２，１２に装着される光源である直管状の蛍光ランプ１３と、器具本体１１に組み付けられる反射笠１４とを備えて、不図示の天井面から吊り下げて取り付けられる。
【００１５】
器具本体１１は、比較的薄い金属製板部材を用いて、天板１５と、一対の対向する端板１６，１６と、一対の対向する側板１７，１７と、を折り曲げ加工することにより長尺箱形状に形成されている。
【００１６】
器具本体１１は、下方に開口部１８を有し、長手方向の２か所に両側板１７，１７に水平に架橋した反射板取付板１９，１９を取り付けている。反射板取付板１９，１９は、回動クランプ２０，２０をそれぞれ有する。
【００１７】
器具本体１１は、開口部１８の縁部に、側板１７，１７の下端部から内方で且つ、その端部が上方を向くように屈曲した屈曲部（図５参照）２１，２１をそれぞれ形成している。
【００１８】
一対のソケット１２，１２は器具本体１１の一対の端板１６，１６側に下方に向けて突出して取り付けられている。ソケット１２，１２は、不図示の器具配線により、器具本体１１の天板１５の裏面に固定されている、例えばインバータ式の安定器（図４参照）２２を通じて不図示の端子台に電気的に接続されている。端子台へは天井面から電源配線が電気的に接続される。
【００１９】
反射笠１４は、器具本体１１と同等の金属製板部材を用いて一対のソケット１２，１２の間隔寸法よりもわずかに短い長さ寸法を有して逆Ｖ字形状に形成されている。
【００２０】
反射笠１４は、中央水平板２３と、一対の第１傾斜板２４，２４と、一対の側部水平板２５，２５と、一対の第２傾斜板２６，２６と、一対の端部折曲部２７，２７とを有する。
【００２１】
中央水平板２３は、その長手方向の２か所に反射板取付板１９，１９の回動クランプ２０，２０を挿通させるための一対のクランプ孔２８，２８を形成している。クランプ孔２８，２８は中央水平板２３の長手方向に沿ってＩ字形状に形成されている。
【００２２】
第１傾斜板２４，２４は、中央水平板２３よりも下方に位置しており、中央水平板２３の長手方向の両端部から予め定められた傾斜角度で斜め下方に向けてそれぞれ延出している。
【００２３】
側部水平板２５，２５は、第１傾斜板２４，２４の両端部から水平にそれぞれ延出している。側部水平板２５，２５には、それらの長手方向に複数の通気孔２９が等間隔に貫通形成されている。
【００２４】
第２傾斜板２６，２６は、中央水平板２３よりも下方に位置しており、側部水平板２５，２５の長手方向の両端部から予め定められた傾斜角度で斜め下方に向けてそれぞれ延出している。第２傾斜板２６，２６には、それらの長手方向に複数の通気孔３０が等間隔に貫通形成されている。
【００２５】
端部折曲部２７，２７は、第２傾斜板２６，２６の先端部においてＶ字形状に折り曲げ成形されている。
【００２６】
次に、照明器具１０の詳細および組立手順について説明する。
【００２７】
図４、図５に示すように、器具本体１１の一対の屈曲部２１，２１の間隔寸法Ｌ１は、反射笠１４の中央水平板２３の幅寸法Ｌ２よりもわずかに大きく形成されている。
【００２８】
組立にあたり、まず、反射笠１４の中央水平板２３を器具本体１１の一対の屈曲部２１，２１の間に合わせながら反射笠１４を器具本体１１の下方から進行させていく。
【００２９】
そして、反射笠１４の中央水平板２３の一対のクランプ孔２８，２８を反射板取付板１９，１９の回動クランプ２０，２０に合わせていく。
【００３０】
これにより、反射笠１４の中央水平板２３は、器具本体１１の一対の屈曲部２１，２１の間に挿入される。
【００３１】
このとき、回動クランプ２０，２０は、クランプ孔２８，２８と同方向である中央水平板２３の長手方向に位置されているために、クランプ孔２８，２８は回動クランプ２０，２０に挿通される。
【００３２】
図６、図７に示すように、反射笠１４の中央水平板２３が器具本体１１の一対の屈曲部２１，２１の間に挿入されて、クランプ孔２８，２８が回動クランプ２０，２０に挿通され、反射笠１４の中央水平板２３が反射板取付板１９，１９に当接する。
【００３３】
そこで、回動クランプ２０，２０をほぼ９０度回動させることにより回動クランプ２０，２０をクランプ孔２８，２８の外側の中央水平板２３に係止させる。
【００３４】
これにより、反射笠１４は、その中央水平板２３を屈曲部２１，２１の間に挿入させた状態で、その中央水平板２３を反射板取付板１９，１９に当接させて器具本体１１に固定される。
【００３５】
このような照明器具１０は、工作機械等の置かれた作業室に天井から吊り下げられて使用される。
【００３６】
照明器具１０は、長期的な使用時に、工作機械から飛散したオイルミストが器具本体１１の各板１５，１６，１６，１７，１７および反射笠１４の各板２４，２４，２５，２５，２６，２６の表面に付着する。
【００３７】
器具本体１１の各板１５，１６，１６，１７，１７の表面に付着したオイルミストは集合して油滴になり、開口部１８の縁部に滴下する。
【００３８】
器具本体１１の開口部１８の縁部に滴下したオイルミストは、開口部１８の縁部に、内方で且つ、その端部が上方を向くように屈曲した屈曲部２１，２１があるために開口部１８の縁部から器具本体１１内に周り込むことがないとともに、反射笠１４の中央水平板２３にも周り込むことがない。
【００３９】
一方、反射笠１４の各板２４，２４，２５，２５，２６，２６の表面に付着したオイルミストは集合して油滴になって、第１傾斜板２４，２４、側部水平板２５，２５、第２傾斜板２６，２６に順次自然滴下していく。
【００４０】
第１傾斜板２４，２４、側部水平板２５，２５、第２傾斜板２６，２６に順次自然滴下していったオイルミストは最終的に端部折曲部２７，２７に貯留される。
【００４１】
このとき、中央水平板２３が、第１傾斜板２４，２４および第２傾斜板２６，２６よりも上方に配置されているために、オイルミストは中央水平板２３に向けて進行せずに、器具本体１１内に周り込むことがない。
【００４２】
以上説明してきたように、本発明の一実施形態の照明器具１０では、反射笠１４は、その中央水平板２３を、器具本体１１の開口部１８の縁部の内方で且つ端部が上方を向くように屈曲した屈曲部２１，２１に挿入されて器具本体１１に固定される。
これにより、器具本体１１の表面に付着して開口部１８に滴下してきたオイルミストは屈曲部２１，２１により開口部１８の縁部から器具本体１１内に周り込まず、反射笠１４の中央水平板２３にも周り込まない。
従って、器具本体１１に付着したオイルミスト等の有害塵埃を器具本体１１内に浸入させないようにできる。
【００４３】
本発明の一実施形態の照明器具１０では、反射笠１４は、器具本体１１の開口部１８の縁部に挿入される中央水平板２３よりも下方に第１傾斜板２４，２４および第２傾斜板２６，２６を有する。
これにより、反射笠１４に滴下したオイルミストは、反射笠１４の中央水平板２３よりも下方の第１傾斜板２４，２４および第２傾斜板２６，２６を介して自然滴下する。
従って、反射笠１４に付着したオイルミスト等の有害塵埃を器具本体１１内に浸入させないようにできる。
【００４４】
なお、前記実施形態で使用した器具本体１１、ソケット１２、蛍光ランプ１３等は例示したものに限定するものではなく適宜変更が可能である。
【符号の説明】
【００４５】
１０  照明器具
１１  器具本体
１３  蛍光ランプ（光源）
１４  反射笠
１８  開口部
２１  屈曲部
【図１】
0005614961.tif 000002
【図２】
0005614961.tif 000003
【図３】
0005614961.tif 000004
【図４】
0005614961.tif 000005
【図５】
0005614961.tif 000006
【図６】
0005614961.tif 000007
【図７】
0005614961.tif 000008